(57)【要約】美容関連物品を収納する収納部材（作業台）を別途のキャリアを必要とせず美容室チェアの背もたれに回動できるように結合された安着支持フレームを利用して設置することができ、ハサミ等のような美容用品を収納して使用できる収納部を備えた多機能美容室チェアに関するものであり、より詳しくは、背もたれの背面に結合し、上下方向に複数の支持ホールが形成されている回動支持部;および回動支持部の上部に回動できるように結合し、支持ホールに締結支持される締結手段が備えられ締結固定角度が調整され、締結固定角度を調整後に物品を収納するための収納部材が安着される安着支持フレーム;を含むことを特徴とする多機能美容室チェア。【選択図】図１
2019520935.tif 000002
【特許請求の範囲】
【請求項１】
背もたれの背面に結合される回動支持部;および
前記回動支持部の上部又は下部のいずれか一つと回動できるように結合する安着支持フレーム;を含み、
前記安着支持フレームには、
物品を収納するための収納スペースが提供される
ことを特徴とする多機能美容室チェア。
【請求項２】
トレイ（Ｔｒａｙ）の形で形成され、前記物品を収納するための収納部材;をさらに含み、
前記安着支持フレームには、
前記収納部材が安着されることにより前記収納スペースが提供される
請求項１に記載の多機能美容室チェア。
【請求項３】
前記回動支持部と前記安着支持フレームが回動することにより前記回動支持部、前記安着支持フレームおよび前記背もたれの間に形成される空間をカバーする収納カバー部;をさらに含み、
前記収納カバー部は、
上部が開いた状態で前記空間をカバーする
請求項１に記載の多機能美容室チェア。
【請求項４】
前記収納カバー部は、
前記安着支持フレームが前記回動支持部の上部に結合している場合、前記安着支持フレームの下の方に形成される空間をカバーし、前記安着支持フレームが前記回動支持部の下部に結合している場合、前記安着支持フレームの上の方に形成される空間をカバーする
請求項３に記載の多機能美容室チェア。
【請求項５】
前記回動支持部は、
前記回動支持部の一側面に上下方向に形成されている複数の支持ホール;を含む
請求項１に記載の多機能美容室チェア。
【請求項６】
前記複数の支持ホールと締結支持される締結手段;をさらに含み、
前記締結手段は、
一端部が前記安着支持フレームと回動できるように結合されて、他端部が前記複数の支持ホールと結合する
請求項５に記載の多機能美容室チェア。
【請求項７】
前記背もたれの背面に設置され、前記背もたれに内設され引き出したり閉めたりすることができるように形成される収納部;をさらに含む
請求項１に記載の多機能美容室チェア。
【請求項８】
前記安着支持フレームと前記回動支持部は着脱できるように結合する
請求項１に記載の多機能美容室チェア。
【請求項９】
背もたれの背面に結合される回動支持部;
前記回動支持部と結合し、前記背もたれの横方向に沿って湾曲した形で形成されるスライディングガイド部;および
前記スライディングガイド部の湾曲した形に沿ってスライディングできるように結合する安着支持フレーム;を含み、
前記安着支持フレームには、
物品を収納するための収納部材を安着させる
ことを特徴とする多機能美容室チェア。
【請求項１０】
前記回動支持部は、
回動結合部材;および
上下方向に形成されている複数の支持ホール;を含む
請求項９に記載の多機能美容室チェア。
【請求項１１】
前記回動結合部材と結合して回動され、前記複数の支持ホールと締結され前記締結固定角度を調整する回動部;をさらに含み、
前記スライディングガイド部は、
前記回動部によって前記回動支持部と結合する
請求項１０に記載の多機能美容室チェア。
【請求項１２】
前記スライディングガイド部は、
内側に湾曲した長さ方向に沿って形成されているスライディング溝;を含み、
前記安着支持フレームは、
前記スライディング溝に締結され前記湾曲した長さ方向に沿ってスライディングされる
請求項９に記載の多機能美容室チェア。
【請求項１３】
前記背もたれの背面に設置され、前記背もたれに内設され引き出したり閉めたりすることができるように形成される収納部;をさらに含む
請求項９に記載の多機能美容室チェア。
【発明の詳細な説明】
【技術分野】
【０００１】
本出願は、２０１６年０７月２５日付の特許文献１に基づく優先権の利益を主張し、当該韓国特許出願の書類に開示されているすべての内容は、本明細書の一部として含まれる。
【０００２】
本発明は、多機能美容室チェアに関するものであり、美容室チェアの背もたれに安着支持フレームを回動できる形で結合し、安着支持フレームを回動させ安着支持フレームに物品を収納できる収納部材を安着させることで、別途の運搬手段がなくても美容関連物品を収納する収納部材（作業台）を使用できる多機能美容室チェアに関するものである。
【背景技術】
【０００３】
一般的に美容室でカット、パーマ、カラー、ドライ等の作業をする場合、作業者は通常、作業に必要なヘアカッター、ハサミ、ブラシやコーム、薬品等を別途のキャリアと、ここに設置される着脱式の収納部材で構成される作業台の上において作業をし、作業者の動きや移動に合わせて作業台も押したり引いたりしながら移動させなければならないのが一般的である。
【０００４】
しかしこのような従来の方式は、作業台にほとんどの道具を収納しなければならないためサイズが大きくなりがちで、使用していないときも常に一定のスペースを占めているという問題点がある。また、作業者が使用する際、一定のスペースを占める作業台を作業者の動きや移動に合わせて押したり引いたりしながら移動させなければならないため作業者にとって不便になり得る。このような不便を解消するために使用頻度の高い多数のハサミやブラシやコーム等を収納できる収納ポケットを腰周りにつけて美容作業を行う場合もあるが、作業者の疲労度が高まるという問題点も指摘されている。
【０００５】
このため本発明者は、美容室チェアの背もたれに安着支持フレームを回動できる形で結合し、安着支持フレームを回動させ安着支持フレームに物品を収納できる収納部材を安着させることで、別途の運搬手段がなくても美容関連物品を収納する収納部材（作業台）を使用できる多機能美容室チェアを発明するに至った。
【先行技術文献】
【特許文献】
【０００６】
【特許文献１】韓国特許出願第１０−２０１６−００９４４０２号
【発明の概要】
【発明が解決しようとする課題】
【０００７】
本発明は上述の問題点を解決するために発案されたもので、本発明はチェアの背もたれにさまざまな美容機器を収納するための収納部材を直接安着支持することのできる安着支持フレームを回動できるように装着し、安着支持フレームを垂直方向、またはチェアに座っている顧客を中心に一定半径内で水平方向に回動できるように装着することで、別途の作業台や収納ポケットを使用せず美容用品を収納できる多機能美容室チェアを提供するものである。
【０００８】
また、本発明はさらに収納部を、背もたれに内設し出たり入ったりするようにすることで、ハサミ等のような美容用品を収納して使用できる多機能美容室チェアを提供するものである。
【課題を解決するための手段】
【０００９】
本発明の第１の実施例における多機能美容室チェアは、背もたれの背面に結合される回動支持部および前述の回動支持部の上部又は下部のいずれか一つと回動できるように結合する安着支持フレームを含むことができ、前述の安着支持フレームには、物品を収納するための収納スペースが提供されることが可能である。
【００１０】
第１の実施例において、前述の多機能美容室チェアは、トレイ（Ｔｒａｙ）の形で形成され、前述の物品を収納するための収納部材;をさらに含むことができ、前述の安着支持フレームには、前述の収納部材が安着されることにより前述の収納スペースが提供されることが可能である。
【００１１】
第１の実施例において、前述の多機能美容室チェアは、前述の回動支持部と前述の安着支持フレームが回動することにより前述の回動支持部、前述の安着支持フレームおよび前述の背もたれの間に形成される空間をカバーする収納カバー部;をさらに含むことができ、前述の収納カバー部は、上部が開いた状態で前述の空間をカバーすることができる。
【００１２】
第１の実施例において、前述の収納カバー部は、前述の安着支持フレームが前述の回動支持部の上部に結合している場合、前述の安着支持フレームの下の方に形成される空間をカバーすることができ、前述の安着支持フレームが前述の回動支持部の下部に結合している場合、前述の安着支持フレームの上の方に形成される空間をカバーすることができる。
第１の実施例において、前述の回動支持部は、前述の回動支持部の一側面に上下方向に形成されている複数の支持ホール;を含むことができる。
【００１３】
第１の実施例において、前述の多機能美容室チェアは、前述の複数の支持ホールと締結支持される締結手段;をさらに含むことができ、前述の締結手段は、一端部が前述の安着支持フレームと回動できるように結合され、他端部が前述の複数の支持ホールと結合されることができる。
【００１４】
第１の実施例において、前述の多機能美容室チェアは、前述の背もたれの背面に設置され、前述の背もたれに内設され引き出したり閉めたりすることができるように形成される収納部;をさらに含むことができる。
第１の実施例において、前述の安着支持フレームと前述の回動支持部は着脱できるように結合されることができる。  
【００１５】
本発明の第２の実施例における多機能美容室チェアは、背もたれの背面に結合される回動支持部、前述の回動支持部と結合し前述の背もたれの横方向に沿って湾曲した形で形成されるスライディングガイド部および前述のスライディングガイド部の湾曲した形に沿ってスライディングできるように結合する安着支持フレームを含むことができ、前述の安着支持フレームには、物品を収納するための収納部材を安着させることができる。
第１の実施例において、前述の回動支持部は、回動結合部材および上下方向に形成されている複数の支持ホールを含むことができる。
【００１６】
第１の実施例において、前述の多機能美容室チェアは、前述の回動結合部材と結合して回動され、前述の複数の支持ホールと締結され前述の締結固定角度を調整する回動部をさらに含むことができ、前述のスライディングガイド部は、前述の回動部によって前述の回動支持部と結合されることができる。
【００１７】
第１の実施例において、前述のスライディングガイド部は、その内側に湾曲した長さ方向に沿って形成されているスライディング溝を含むことができ、前述の安着支持フレームは、前述のスライディング溝に締結され前述の湾曲した長さ方向に沿ってスライディングされることが可能である。
【００１８】
第１の実施例において、前述の多機能美容室チェアは、前述の背もたれの背面に設置され、前述の背もたれに内設され引き出したり閉めたりすることができるように形成される収納部をさらに含むことができる。
【発明の効果】
【００１９】
本発明は背もたれの背面に収納部材を安着されることのできる安着支持フレームを垂直方向に回動できるように構成し、必要な場合垂直方向に回動させて使用することで、従来の作業台のように別途の空間を占めることなく、空間活用の効率を高めるというメリットがある。
【００２０】
また、本発明は回動支持部が複数の支持ホールを含み、複数の支持ホールによって安着支持フレームと結合することにより、設定したい角度に調整しやすいというメリットがある。
【００２１】
また、本発明は、安着支持フレームを垂直方向はもちろんのこと、水平方向にも一定の長さの範囲内で回動できるように構成することにより、作業者の移動動線に沿って移動させて使用することができ作業者の作業効率および作業能率が高まるというメリットがある
【００２２】
また、本発明は背もたれの背面に引き出したり閉めたりすることのできる収納部をさらに構成することにより、ハサミやブラシやコーム等のような美容道具を収納して使用することができ作業者の体に着用しなくてもいいため、作業者の疲労度を下げることができ、作業空間をきれいに管理することができるというメリットがある
【００２３】
また、本発明は回動支持部をベルクロ（登録商標）等のような着脱できるタイプで構成した場合従来の美容室用チェアにもそのまま適用できるため経済性を高め、使用上の利便性を高めることができるというメリットがある。
【図面の簡単な説明】
【００２４】
【図１】本発明の第１の実施例における多機能美容室チェア（１００）の斜視図
【図２】本発明の第１の実施例における多機能美容室チェア（１００）において安着支持フレーム（１４０）が締結固定角度を調整する形態を示す説明図
【図３】本発明の第１の実施例における多機能美容室チェア（１００）において安着支持フレーム（１４０）に収納部材（２０）を安着させた形態を示す説明図
【図４】本発明の第１の実施例における多機能美容室チェア（１００）において収納部（１５０）を使用する形態を示す説明図
【図５】本発明の第１の実施例における多機能美容室チェア（１００）において背もたれ（１０）から回動支持部（１１０）および安着支持フレーム（１４０）を外した形態を示す説明図
【図６】本発明の第１の実施例における多機能美容室チェア（１００）において収納カバー部（１６０）で収納スペースを提供する形態を示す説明図
【図７】本発明の第２の実施例における多機能美容室チェア（１００）の斜視図
【図８】本発明の第２の実施例における多機能美容室チェア（１００）において安着支持フレーム（１４０）が締結固定角度を調整する形態を示す説明図
【図９】本発明の第２の実施例における多機能美容室チェア（１００）において安着支持フレーム（１４０）に収納部材（２０）を安着させた形態を示す説明図
【図１０】本発明の第２の実施例における多機能美容室チェア（１００）において収納部（１５０）を使用する形態を示す説明図
【発明を実施するための形態】
【００２５】
本発明には、多様な変更を加えることができ、多数の実施例を持つことができるため、以下に特定の実施例を図面に示し詳細な説明を行う。
【００２６】
しかし、これは本発明を特定の実施形態により限定するものではなく、本発明の思想および技術範囲に含まれるあらゆる変更、均等物乃至代替物を含むものとして理解すべきである。各図面を説明をする際、類似の構成要素を説明するときは類似の参照符号を使用している。
【００２７】
第２、第１等のような序数を含む用語は、多様な構成要素を説明するために用いられることができるが、前述の構成要素は前述の用語によって限定されるものではない。
【００２８】
本明細書に使われる用語は一つの構成要素を他の構成要素と区別する目的にのみ使われる。例えば、本発明の権利範囲を逸脱せずに第２構成要素は第１構成要素と命名されることができ、これと同様に第１構成要素も第２構成要素と命名されることが可能である。「および/又は」という用語は本明細書に記載されている複数の関連事項の組み合わせ又は本明細書に記載されている複数の項目の、いずれか一つの項目を含む。
【００２９】
ある構成要素が他の構成要素に「つながって」いたり、「連結されていたり」、「接続されて（して）」いるとされていた場合は、その他の構成要素に直接連結されていたり又は接続していることもあるが、間に他の構成要素が介在することもあり得ると解析しなければならない。一方、ある構成要素が他の構成要素に「直接連結されて」いたり「直接接続されて（して）」いるとされている場合は、間に他の構成要素が存在しないものと解析されるべきである。
【００３０】
本出願において使われている用語は単なる特定の実施例について説明するための使われているものであって、本発明を限定する意図があるわけではない。単数の表現は、文脈上明らかに異なる意味を示さない限り、複数の表現を含むものとする。本出願において、「含む」、「含める」又は「持つ」、「有する」等の用語は明細書に記載された特徴、数字、段階、動作、構成要素、部品又はこれらの組み合わせが存在することを述べているものであり、一つ又はそれ以上の他の特徴や数字、段階、動作、構成要素、部品又はこれらの組み合わせが存在したり、加わる可能性を排除する意味ではないと解析されるべきである。
【００３１】
別途の定義がない限り、技術用語や科学用語を含む、本明細書にて使われる全ての用語は本発明が属す技術分野において通常の知識を持つ者が一般的に理解している意味と同じ意味を持つ。一般的に使われる辞書に定義されているような用語は関連技術の文脈上の意味と同じ意味を持つものと解析されるべきであり、本出願において明らかに別途の定義を示さない限り、理想的な意味または過度に形式的な意味に解析されてはならない。
以下に、添付の図面を参照しながら本発明の実施例を説明すると次の通りである。
【００３２】
図１は本発明の第１の実施例における多機能美容室チェア（１００）の斜視図であり、図２は本発明の第１の実施例における多機能美容室チェア（１００）において安着支持フレーム（１４０）が締結固定角度を調整する形態を示す図面であり、図３は本発明の第１の実施例における多機能美容室チェア（１００）において安着支持フレーム（１４０）に収納部材（２０）を安着させた形態を示す図面であり、図４は本発明の第１の実施例における多機能美容室チェア（１００）において収納部（１５０）を使用する形態を示す図面であり、図５は本発明の第１の実施例における多機能美容室チェア（１００）において背もたれ（１０）から回動支持部（１１０）および安着支持フレーム（１４０）を外した形態を示す図面である。
【００３３】
図１乃至図５に基づき、本発明の第１の実施例における多機能美容室用チェア（１００）は回動支持部（１１０）および安着支持フレーム（１４０）を含めて構成されることが可能である。
【００３４】
まず、回動支持部（１１０）は背もたれ（１０）の背面に結合されることができる。回動支持部（１１０）は別途の締結部材（未図示）によって背もたれ（１０）に固定されたり、ベルクロ（登録商標）等のような着脱部材（未図示）によって結合されることができる。このとき、前述のベルクロ（登録商標）等のような着脱部材を使用する場合、回動支持部（１１０）と安着支持フレーム（１４０）およびこれに着脱される収納部材（２０）とこれに収納される美容道具等の重さ等を考慮して接着する面積を決めるのが好ましい。
【００３５】
図面上には一対の回動支持部（１１０）が背もたれ（１０）背面の左右両側に構成されているが、安着支持フレーム（１４０）の回動半径と安着支持フレーム（１４０）に支えられる収納部材（２０）の着脱を干渉しない構造であれば、いくらでも多様な変形が可能といえる。
【００３６】
回動支持部（１１０）は上下方向に形成されている複数の支持ホール（１１２）を含むことができる。一例として、回動支持部（１１０）には縦方向に一定の間隔で複数の支持ホール（１１２）が形成されることが可能である。
【００３７】
安着支持フレーム（１４０）は回動支持部（１１０）の上部又は下部のいずれか一つと回動できるように結合されることができる。このため安着支持フレーム（１４０）は締結手段（１２１）を備えることができる。
【００３８】
締結手段（１２１）は複数の支持ホール（１１２）に締結支持されることが可能である。例えば、締結手段（１２１）の一端部は安着支持フレーム（１４０）の中端部と回動できるように結合されて、締結手段（１２１）の他端部は支持ホール（１１２）に締結支持されることで、締結手段（１２１）によって安着支持フレーム（１４０）の締結固定角度を調整することができる。ここで、回動可能な結合構造は公知の多様な技術を適用して使用できるものであり、これに関する詳細な説明は省略する。
また、回動支持部（１１０）と安着支持フレーム（１４０）との相互回動構造は、後述の図７乃至図１０に適用された構成と同様に着脱式にすることもできる。
【００３９】
安着支持フレーム（１４０）は回動支持部（１１０）との締結固定角度を調整することができる。ここで締結固定角度は安着支持フレーム（１４０）と回動支持部（１１０）の間に形成される角度を意味する。安着支持フレーム（１４０）は締結固定角度を調整した後は物品を収納するための収納スペースを提供することができる。例えば、図２に示すように、安着支持フレーム（１４０）の締結固定角度が調整された後は図３に示すように収納部材（２０）を安着させて使用することができる。
【００４０】
収納部材（２０）はトレイ（Ｔｒａｙ）の形で形成され、物品を収納することができる。例えば、図示は省略しているが収納部材（２０）にはパーマ、カラー等のような作業時に使われる美容道具が収納されることが可能である。
【００４１】
第１の実施例において、収納部材（２０）を使用した後は安着支持フレーム（１４０）に設定されている収納部材（２０）を分離して、支持ホール（１１２）から締結手段（１２１）を分離して図１に示すように、安着支持フレーム（１４０）を背もたれ（１０）に折りたたんでおいた状態で使用することができる。これによって安着支持フレーム（１４０）を回動可能な構造にして背もたれに構成することにより、別途の作業台を備える必要がなく、空間活用の効率を高めることができるだけでなく作業者の手間を省くことにより作業効率も高めることができる。
【００４２】
第１の実施例において、本発明の第１の実施例における多機能美容室チェア（１００）は収納袋部（未図示）を含むことができる。収納袋部は上部が開いている袋の形になり得るが、安着支持フレーム（１４０）に結合することにより美容道具のような物品を収納することができる。
【００４３】
第１の実施例において、本発明の第１の実施例における多機能美容室チェア（１００）は収納スペースを提供するために収納カバー部（１６０）をさらに含むことができる。
【００４４】
収納カバー部（１６０）は回動支持部（１１０）と安着支持フレーム（１４０）が回動することにより回動支持部（１１０）、安着支持フレーム（１４０）および背もたれ（１０）の間に形成される空間をカバーすることができる。一例として、安着支持フレーム（１４０）が回動支持部（１１０）の上部に連結されている場合、図６に示すように安着支持フレーム（１４０）の下の方に回動支持部（１１０）、安着支持フレーム（１４０）および背もたれ（１０）の間に一定の大きさのスペースが形成されることが可能である。収納カバー部（１６０）は形成されている空間をカバーすることができる。このとき、収納カバー部（１６０）は形成されている空間をカバーしつつ、上部が開いた状態で空間をカバーすることにより、袋の形になることができ、袋に物品を収納することが可能である。例えば、収納カバー部（１６０）は図６に示すように背もたれ（１０）の左側に位置する回動支持部（１１０）と安着支持フレーム（１４０）の左側のフレームの間に形成される左面、背もたれ（１０）の右側に位置する回動支持部（１１０）と安着支持フレーム（１４０）の右側のフレームの間に形成される右面および安着支持フレーム（１４０）の水平フレームと背もたれ（１０）の間に形成される下面をカバーすることができる。
【００４５】
また、安着支持フレーム（１４０）が回動支持部（１１０）の下部に連結されている場合、回動支持部（１１０）と安着支持フレーム（１４０）が回動することにより安着支持フレーム（１４０）の上部にスペースが形成されることができ、収納カバー部（１４０）が形成されている空間をカバーすることで袋の形になることができる。第１の実施例において、収納カバー部（１６０）はファブリック（ｆａｂｒｉｃ）材質になり得る。これによって別途の収納スペースを提供する構成要素を設置しなくても物品を収納できる収納スペースを提供することができる。
第１の実施例において、背もたれ（１０）にはハサミやブラシやコーム等を収納できる収納部（１５０）をさらに含むことができる。
【００４６】
収納部（１５０）は背もたれ（１０）の背面に設置されることもあり、背もたれ（１０）に内設され引き出したり閉めたりすることができるように形成されることが可能である。収納部（１５０）は図４に示すように、下部が回動できるように結合されて上部が下端部を軸に背もたれ（１０）の外部や内部に向かって引き出されたり閉められたりして使われる形に構成することができる。
【００４７】
収納部（１５０）は手で握って収納部（１５０）を引き出したり閉めたりすることのできる握り部（図面符号は省略）が形成されることが可能である。図面上には収納部（１５０）の概念としての形だけを図示したものであり、収納溝（１５１）内部を複数の収納スペースとして仕切って使用することもできるものであり、収納部（１５０）の大きさ、形状、位置、内部構造、引き出したり閉めたりする構造等を図示されている形にのも限定することは好ましくない。
【００４８】
収納部（１５０）にはカットに使われるハサミやブラシやコーム等が収納されるため、パーマやカラー等の作業をするときに同時に使われることがなく、図４に示すように安着支持フレーム（１４０）を折りたたんでおいた状態で主に使用することができる。
【００４９】
第１の実施例において、本発明の第１の実施例における多機能美容室チェア（１００）は、図５に示すように、収納部（１５０）のみを使用する場合、回動支持部（１１０）から安着支持フレーム（１４０）を外したり、背もたれ（１０）から回動支持部（１１０）および安着支持フレーム（１４０）を外すことができる。これによって、作業者が収納部（１５０）のみを使用するとき、使用していない回動支持部（１１０）および安着支持フレーム（１４０）によって不便が生じることを防ぐことができる。
第１の実施例において、本発明の第１の実施例における多機能美容室チェア（１００）はガードレール部（未図示）をさらに含むことができる。
【００５０】
ガードレール部は背もたれ（１０）と回動支持部（１１０）の間に設置され背もたれ（１００）と回動支持部（１１０）を結合することができる。また、ガードレール部は回動支持部（１１０）が上下方向にスライディングされるようにすることができ、このためガードレール部はガイドレール、ベアリング、ローラーおよび固定部材を含むことができる。
【００５１】
回動支持部（１１０）はガードレール部に沿って上下方向にスライディングされることで、状況によって多機能美容室チェア（１００）の高さを調整する場合にも作業者が作業しやすいように収納部材（２００）の高さを調整することができる。
【００５２】
第２の実施例において、ガードレール部は回動支持部（１１０）と安着支持フレーム（１４０）の間に設置され回動支持部（１１０）と安着支持フレーム（１４０）を回動できるように結合することができ、安着支持フレーム（１４０）が回動支持部（１１０）の上下方向にスライディングされることで収納部材（２０）の高さを調整することができる。
【００５３】
図７は本発明の第２の実施例における多機能美容室チェア（１００）の斜視図であり、図８は本発明の第２の実施例における多機能美容室チェア（１００）において安着支持フレーム（１４０）が締結固定角度を調整する形態を示す図面であり、図９は本発明の第２の実施例における多機能美容室チェア（１００）において安着支持フレーム（１４０）に収納部材（２０）を安着させた形態を示す図面であり、図１０は本発明の第２の実施例における多機能美容室チェア（１００）において収納部（１５０）を使用する形態を示す図面である。
図７乃至図１０を参照しながら本発明の第２の実施例における多機能美容室用チェア（１００）を説明すると以下の通りである。
【００５４】
本発明の多機能美容室用チェア（１００）は回動支持部（１１０）、回動部（１２０）、スライディングガイド部（１３０）および安着支持フレーム（１４０）を含めて構成されることが可能である。
【００５５】
回動支持部（１１０）の構成については、図１乃至図６に図示された構造を参照することができる。ただし、回動支持部（１１０）の上端部は、回動結合部材（１１１）が構成され回動部（１２０）が着脱される形であり、図面上には回動部（１２０）の一端部が回動できるように締結されるホールの形として図示しているが、溝の形になることあり、回動結合部材（１１１）と回動部（１２０）の一端部は着脱可能な構造であれば公知の多様な形態を適用することが可能であり、これらの形態等を図示されたものに限定することは好ましくない。
【００５６】
回動部（１２０）は回動結合部材（１１１）と結合して回動することができ、複数の支持ホール（１１２）と締結され締結固定角度を調整することができる。回動部（１２０）の一端部は回動結合部材（１１１）に着脱可能な形で結合して回動することができ、他端部にはスライディングガイド部（１３０）が結合されることができる。回動部（１２０）の中端部には締結手段（１２１）の一端部が回動できるように結合して他端部が支持ホール（１１２）に締結支持されることができ、締結手段（１２１）によって回動部（１２０）の締結固定角度が調整されることが可能である。
【００５７】
回動部（１２０）の他端部に形成されているスライディングガイド部（１３０）は、図面上に回動部（１２０）と一体型で構成されている状態を図示しているが、これに限定せず、着脱形で図構成されることが可能である。
【００５８】
スライディングガイド部（１３０）は回動支持部（１１０）と結合し、背もたれ（１０）と一定の間隔で離隔され背もたれ（１０）の横方向に沿って湾曲した形で形成されることが可能である。
【００５９】
スライディングガイド部（１３０）は背もたれ（１０）と一定の間隔で離隔され背もたれ（１０）を包む湾曲した形で回動部（１２０）に結合し、図６に示すように内側には湾曲した長さ方向に沿ってスライディング溝（１３１）が形成されることが可能である。
【００６０】
スライディングガイド部（１３０）の両側には図面符号を図示してはいないが、着脱型の仕上げ材が結合して安着支持フレーム（１４０）がスライディング溝（１３１）から分離されることを防止することができる。
【００６１】
スライディングガイド部（１３０）の構成で収納部材（２０）を設置してから図７に示すように一定の間隔の中で移動ができるため、作業者の位置に収納部材（２０）を位置させ使用しやすくすることができる。
【００６２】
スライディング溝（１３１）には安着支持フレーム（１４０）の中端部がスライディング溝（１３１）の内部で滑らかに滑走できるようにベアリングやローラー等がともに構成されることができ、スライディング溝（１３１）内部で滑らかに滑走できるようにするための構成等は公知の多様な技術を適用することのできるものであって、これに関する詳細説明も省略する。
【００６３】
安着支持フレーム（１４０）と収納部（１５０）の構成等は図１乃至図６に関する前述の説明等を参照することができる。ただし、図７乃至図１０の実施形態では、回動部（１２０）、スライディングガイド部（１３０）および安着支持フレーム（１４０）の構成によって収納部（１５０）の引き出したり閉めたりする動作が干渉を受けることがあるため、収納部材（２０）を使用するときのみ回動部（１２０）、スライディングガイド部（１３０）および安着支持フレーム（１４０）等を結合して使用し、図８に示すように回動部（１２０）を回動結合部材（１１１）から分離した上で収納部（１５０）を使用できるように構成することが望ましい。
【００６４】
第１の実施例において、一つの回動支持部（１１０）と一つ以上の安着支持フレーム（１４０）が結合されることができる。例えば、一つの回動支持部（１１０）に上下方向に収納部材（２０）が重ならないように一定の間隔で離隔させて一つ以上の安着支持フレーム（１４０）が結合されることができる。また、一つ以上の安着支持フレーム（１４０）のうち最上段に位置する安着支持フレーム（１４０）を除いた残りの安着支持フレーム（１４０）は本発明の第２の実施例における多機能美容室チェア（１００）のようにスライディングガイド部（１３０）に結合されることができる。これによって、収納部材（２０）が重なっても、スライディングによって収納部材（２０）を移動させて収納された物品を利用することができる。
【００６５】
前述では、本発明の好ましい実施例を参照しながら説明しているが、当該技術分野における熟練した当業者は、下記の特許請求範囲に記載された本発明の思想および領域から逸脱しない範囲内で本発明を多様な形で修正および変更することができる。
【図１】
2019520935.tif 000003
【図２】
2019520935.tif 000004
【図３】
2019520935.tif 000005
【図４】
2019520935.tif 000006
【図５】
2019520935.tif 000007
【図６】
2019520935.tif 000008
【図７】
2019520935.tif 000009
【図８】
2019520935.tif 000010
【図９】
2019520935.tif 000011
【図１０】
2019520935.tif 000012
【国際調査報告】
2019520935.tif 000013
2019520935.tif 000014
2019520935.tif 000015
2019520935.tif 000016
2019520935.tif 000017
2019520935.tif 000018